(57)【要約】【課題】複数の情報処理装置により各表示領域に様々なコンテンツの表示を可能とする画像表示システムにおいて、特定の情報処理装置への負荷の集中を抑制する。【解決手段】情報処理装置（クライアントＰＣ）は、負荷状況判定部１０７と、負荷状況送受信部１０６と、画像データ送信要求制御部１０８と、画像データ送受信部１０９とを有し、画像データ送信要求制御部１０８は、表示処理すべき画像データの少なくとも一部を他の情報処理装置に要求するための画像データ送信要求を負荷の小さい情報処理装置に送信する機能と、他の情報処理装置から前記画像データ送信要求が送信されてきた場合には、当該画像データ送信要求に基づく画像データを前記画像データ送信要求の送信元の情報処理装置に送信する指示を前記画像データ送受信部１０９に与える機能とを有する。【選択図】図１
2009223106.tif 000002
【特許請求の範囲】
【請求項１】
画像表示システムであって、
複数の表示領域の各表示領域に対応して設けられ、前記複数の表示領域のうち自身に割
り当てられた表示領域に画像を表示させるための表示処理を行う複数の情報処理装置を有
し、
前記情報処理装置は、
前記複数の表示領域の各表示領域に表示すべき各画像に対応する画像データを記憶する
記憶装置と、
前記表示処理を行う際の自身の負荷状況を他の情報処理装置との間で送受信する負荷状
況送受信部と、
前記負荷状況送受信部で受信した他の情報処理装置の負荷状況と前記自身の負荷状況と
を比較する機能を有する負荷状況判定部と、
前記複数の表示領域のうちの所定の表示領域に表示すべき画像に対応する画像データを
他の情報処理装置との間で送受信する画像データ送受信部と、
前記割り当てられた表示領域に表示すべき画像に対応する画像データの少なくとも一部
を他の情報処理装置に要求するための画像データ送信要求を自身より負荷の小さい情報処
理装置に送信する機能と、他の情報処理装置から前記画像データ送信要求が送信されてき
た場合には、当該画像データ送信要求に基づく画像データを前記画像データ送信要求の送
信元の情報処理装置に送信する指示を前記画像データ送受信部に与える機能とを有する画
像データ送信要求制御部と、
を有することを特徴とする画像表示システム。
【請求項２】
請求項１に記載の画像表示システムにおいて、
前記複数の表示領域の各表示領域には、複数種類の画像が前記各表示領域に割り当てら
れることを特徴とする画像表示システム。
【請求項３】
請求項１または２に記載の画像表示システムにおいて、
前記複数の情報処理装置を制御する制御用情報処理装置を有し、前記制御用情報処理装
置は、前記複数の情報処理装置の各情報処理装置が表示処理すべき画像に関する情報を前
記複数の情報処理装置に画像表示命令として送信し、
前記複数の情報処理装置の各情報処理装置は、前記画像表示命令に基づいて自身が表示
処理すべき画像に対応する画像データを自身の記憶装置から取得し、取得した画像データ
に基づいて表示処理を行うことを特徴とする画像表示システム。
【請求項４】
請求項１〜３のいずれかに記載の情報処理装置において、
前記画像データ送信要求の送信元の情報処理装置が表示処理すべき画像と、前記画像デ
ータ送信要求を受信した情報処理装置が表示処理すべき画像とに共通する画像が含まれて
いる場合、前記画像データ送信要求を送信した情報処理装置は、自身が表示処理を行うた
めの前記共通する画像に対応する画像データを前記画像データ送信要求の送信先の情報処
理装置から受信することを特徴とする画像表示システム。
【請求項５】
請求項４に記載の画像表示システムにおいて、
前記画像データ送信要求の送信先の情報処理装置から受信する前記共通する画像に対応
する画像データは、前記画像データ送信要求の送信先の情報処理装置においてデコード処
理された画像データであることを特徴とする画像表示システム。
【請求項６】
請求項１〜５のいずれかに記載の画像表示システムにおいて、
前記負荷状況の比較は、前記表示すべき画像が変化したときに行われることを特徴とす
る画像表示システム。
【請求項７】
複数の表示領域の各表示領域に対応して設けられ、前記複数の表示領域のうち自身に割
り当てられた表示領域に画像を表示させるための表示処理を行う複数の情報処理装置を有
する画像表示システムに用いられる情報処理装置であって、
前記複数の表示領域の各表示領域に表示すべき各画像に対応する画像データを記憶する
記憶装置と、
前記表示処理を行う際の自身の負荷状況を他の情報処理装置との間で送受信する負荷状
況送受信部と、
前記負荷状況送受信部で受信した他の情報処理装置の負荷状況と前記自身の負荷状況と
を比較する機能を有する負荷状況判定部と、
前記複数の表示領域のうちの所定の表示領域に表示すべき画像に対応する画像データを
他の情報処理装置との間で送受信する画像データ送受信部と、
前記割り当てられた表示領域に表示すべき画像に対応する画像データの少なくとも一部
を他の情報処理装置に要求するための画像データ送信要求を自身より負荷の小さい情報処
理装置に送信する機能と、他の情報処理装置から前記画像データ送信要求が送信されてき
た場合には、当該画像データ送信要求に基づく画像データを前記画像データ送信要求の送
信元の情報処理装置に送信する指示を前記画像データ送受信部に与える機能とを有する画
像データ送信要求制御部と、
を有することを特徴とする情報処理装置。
【発明の詳細な説明】
【技術分野】
【０００１】
本発明は、複数の情報処理装置を用いて大画面の画像表示を可能とする画像表示システ
ム及び画像表示システムに用いられる情報処理装置に関する。
【背景技術】
【０００２】
デジタルシネマに代表されるように４Ｋ２Ｋを超える高解像度の画像表示システムが知
られつつあり、最近では８Ｋ４Ｋの解像度を有する画像の表示が可能な画像表示システム
の開発も進んでいる。このような高解像度の画像の表示を可能とするために、複数のディ
スプレイ（例えば、プロジェクタ）を組み合わせることで高解像度な画像表示を実現可能
とする画像表示システムが実用化されてきている。
【０００３】
例えば、複数のパーソナルコンピュータ（ＰＣという）などの情報処理装置にそれぞれ
ディスプレイを接続して、各情報処理装置ではそれぞれの表示領域に対応する部分画像デ
ータを生成し、生成した部分画像データに対応する部分画像を各ディスプレイで表示させ
ることにより、高解像度の大画面画像の表示を可能とする画像表示システムが存在する（
例えば、特許文献１及び特許文献２参照）。
【０００４】
【特許文献１】特許第２７２８４９４号公報
【特許文献２】特開２００５−２５０４４５号公報
【発明の開示】
【発明が解決しようとする課題】
【０００５】
特許文献１に開示された技術（第１従来技術という）は、スクリーン上で表示すべきコ
ンテンツを複数の情報処理装置としての表示機能部がそれぞれ保持し、個々の表示機能部
は保持したコンテンツから自身が投射すべき位置に対応する画像データを切り出して、自
身に接続されたプロジェクタなどの投射機能部によってスクリーン上に投射を行うという
ものであり、それによって、スクリーン上で大画面の画像表示が可能なる。
【０００６】
また、特許文献２に開示された技術（第２従来技術という）も、複数の情報処理装置と
しての描画ユニットが同一のコンテンツを保持し、個々の描画ユニットは保持したコンテ
ンツから自身が投射すべき位置に対応する画像データを切り出し、自身に接続されたプロ
ジェクタによってスクリーン上に投射を行うようにするとともに、コンテンツの切り替え
などの変則的な再生も実現可能とするもので、これらの表示制御は、全体を統括するタイ
ミングサーバが描画ユニットに対して制御信号を一斉に送信することにより行うものであ
る。
【０００７】
上述の第１従来技術及び第２従来技術は、１つのコンテンツを複数のプロジェクタなど
の画像表示機器によって表示することを主目的としたものである。しかし、最近では、表
示画面上に１つのコンテンツを表示させるのではなく、例えば、種類の異なった複数のコ
ンテンツを表示画面のそれぞれの表示領域に表示させるといった使い方も提案されている
。この場合、各表示領域に対応して設けられた複数の情報処理装置（ＰＣ）には表示画面
上に表示すべきコンテンツに対応した画像デーを記憶させておき、複数の情報処理装置は
それぞれが記憶している画像データから自身が表示すべきコンテンツに対応する画像デー
タを取得して、表示面上において様々なコンテンツを同時に表示させるといった表示処理
を行う。
【０００８】
このような表示処理を行う場合、各表示領域に表示されるコンテンツの内容などによっ
ては、ある特定の情報処理装置（ＰＣ）に処理負荷（単に負荷という）が集中してしまい
、複数の情報処理装置間で負荷に大きなバラツキが生じてしまうこともある。その場合、
負荷の集中した情報処理装置においては、自身の記憶装置へのアクセス量が増加するため
、記憶装置からの画像データの読み出し速度、読み出した画像データを処理する際の処理
速度が不足し、表示に遅延が発生してしまうという不具合が生じる場合もある。
【０００９】
本発明は、複数の表示領域に画像を表示させるための表示処理を各表示領域に対応して
設けられた情報処理装置によって行う行画像表示システムにおいて、特定の情報処理装置
への負荷の集中を抑制して、円滑な画像表示を可能とする画像表示システム及び画像表示
システムに用いられる情報処理装置を提供することを目的とする。
【課題を解決するための手段】
【００１０】
本発明の画像表示システムは、画像表示システムであって、複数の表示領域の各表示領
域に対応して設けられ、前記複数の表示領域のうち自身に割り当てられた表示領域に画像
を表示させるための表示処理を行う複数の情報処理装置を有し、前記情報処理装置は、前
記複数の表示領域の各表示領域に表示すべき各画像に対応する画像データを記憶する記憶
装置と、前記表示処理を行う際の自身の負荷状況を他の情報処理装置との間で送受信する
負荷状況送受信部と、前記負荷状況送受信部で受信した他の情報処理装置の負荷状況と前
記自身の負荷状況とを比較する機能を有する負荷状況判定部と、前記複数の表示領域のう
ちの所定の表示領域に表示すべき画像に対応する画像データを他の情報処理装置との間で
送受信する画像データ送受信部と、前記割り当てられた表示領域に表示すべき画像に対応
する画像データの少なくとも一部を他の情報処理装置に要求するための画像データ送信要
求を自身より負荷の小さい情報処理装置に送信する機能と、他の情報処理装置から前記画
像データ送信要求が送信されてきた場合には、当該画像データ送信要求に基づく画像デー
タを前記画像データ送信要求の送信元の情報処理装置に送信する指示を前記画像データ送
受信部に与える機能とを有する画像データ送信要求制御部とを有することを特徴とする。
【００１１】
複数の表示領域にそれぞれの画像を表示するような画像表示システムにおいては、複数
の情報処理装置間において画像データ処理を行うに必要な負荷の大きさにバラツキが生じ
る場合もある。このように、それぞれの情報処理装置間において負荷の大きさにバラツキ
が生じた場合、負荷の小さい情報処理装置は、負荷の大きい情報処理装置に対して支援を
行う。具体的には、負荷の小さな情報処理装置は、負荷の大きな情報処理装置が表示すべ
き画像データの少なくとも一部を取得して、取得した画像データを負荷の大きい情報処理
装置に送信する。このような支援動作を行うことにより、負荷の大きい情報処理装置では
、自身の記憶装置から画像データの読み出しなどのアクセス量を減らすことができる。こ
れにより、特定の情報処理装置への負荷の集中を抑制することができ、特定の表示領域の
画像表示に遅れが生じるなどの不具合を防止することができる。
【００１２】
本発明の画像表示システムにおいて、前記複数の表示領域の各表示領域には、複数種類
の画像が前記各表示領域に割り当てられることが好ましい。
【００１３】
これは、様々な種類の画像（コンテンツ）を複数の表示領域の各表示領域に表示させる
ような表示形態で表示を行うというものであり、このような表示形態で表示を行う場合に
本発明は特に有効なものとなる。この場合、各情報処理装置における記憶装置には、各表
示領域に表示される複数のコンテンツに対応する画像データをすべて保持しておく。これ
により、それぞれの情報処理装置間において負荷の大きさにバラツキが生じた場合、負荷
の小さい情報処理装置においては、負荷の大きい情報処理装置が表示すべき画像データの
少なくとも一部を取得して、取得した画像データを負荷の大きい情報処理装置に送信する
といった支援動作が可能となる。
【００１４】
本発明の画像表示システムにおいて、前記複数の情報処理装置を制御する制御用情報処
理装置を有し、前記制御用情報処理装置は、前記複数の情報処理装置の各情報処理装置が
表示処理すべき画像に関する情報を前記複数の情報処理装置に画像表示命令として送信し
、前記複数の情報処理装置の各情報処理装置は、前記画像表示命令に基づいて自身が表示
処理すべき画像に対応する画像データを自身の記憶装置から取得し、取得した画像データ
に基づいて表示処理を行うことが好ましい。
【００１５】
このような制御用情報処理装置を設けることにより、各表示領域に対応して設けられた
情報処理装置の制御を効率よくかつ適切に行うことができる。そして、制御用情報処理装
置から各情報処理装置に送信される画像表示命令は、どの情報処理装置がどのような画像
（コンテンツ）を表示すべきかを示す情報を有しているため、各情報処理装置はこの画像
表示命令に基づいて適切な表示処理を行うことができる。
【００１６】
本発明の画像表示システムにおいて、前記画像データ送信要求の送信元の情報処理装置
が表示処理すべき画像と、前記画像データ送信要求を受信した情報処理装置が表示処理す
べき画像とに共通する画像が含まれている場合、前記画像データ送信要求を送信した情報
処理装置は、自身が表示処理を行うための前記共通する画像に対応する画像データを前記
画像データ送信要求の送信先の情報処理装置から受信することが好ましい。
【００１７】
このように、画像データ送信要求の送信元の情報処理装置（負荷の大きい情報処理装置
）が処理すべき画像データと、画像データ送信要求を受信した情報処理装置（負荷の小さ
い情報処理装置）が処理すべき画像データとに共通する画像データが含まれている場合は
、負荷の小さい情報処理装置においても当該画像の表示処理を行っている。すなわち、負
荷の小さい情報処理装置においても当該画像に対応する画像データの読み出し処理を自身
の記憶装置に対して行っているので、読み出した画像データを、負荷の大きい情報処理装
置に送信することが可能となる。したがって、負荷の大きい情報処理装置は、自身よりも
負荷の小さい情報処理装置（画像データ送信要求の送信先の情報処理装置）から共通する
画像データを受信することができる。これにより、負荷の大きい情報処理装置では、前記
共通する画像データについては、自信の記憶装置から読み出し処理を行う必要がなくなり
、自身の負荷を軽減することができる。
【００１８】
本発明の画像表示システムにおいて、前記画像データ送信要求の送信先の情報処理装置
から受信する前記共通する画像に対応する画像データは、前記画像データ送信要求の送信
先の情報処理装置においてデコード処理された画像データであることもまた好ましい。
【００１９】
このように、デコード処理された画像データが負荷の大きい情報処理装置に送信されて
くることにより、負荷の大きい情報処理装置では、記憶装置からの画像データ読み出し処
理の軽減に加えて、デコード処理についても軽減することができる。これにより、負荷の
大きい情報処理装置においては、ＣＰＵなどの画像データ処理部が行う画像データ処理に
ついても負荷を軽減することができる。
【００２０】
本発明の画像表示システムにおいて、前記負荷状況の比較は、前記表示すべき画像が変
化したときに行われることが好ましい。
このように、表示すべき画像（コンテンツ）が変化したときに各情報処理装置の負荷状
況を判定することにより、表示されるコンテンツの内容に応じて各情報処理装置の負荷状
況を適切に判定することができる。
【００２１】
本発明の情報処理装置は、複数の表示領域の各表示領域に対応して設けられ、前記複数
の表示領域のうち自身に割り当てられた表示領域に画像を表示させるための表示処理を行
う複数の情報処理装置を有する画像表示システムに用いられる情報処理装置であって、前
記複数の表示領域の各表示領域に表示すべき各画像に対応する画像データを記憶する記憶
装置と、前記表示処理を行う際の自身の負荷状況を他の情報処理装置との間で送受信する
負荷状況送受信部と、前記負荷状況送受信部で受信した他の情報処理装置の負荷状況と前
記自身の負荷状況とを比較する機能を有する負荷状況判定部と、前記複数の表示領域のう
ちの所定の表示領域に表示すべき画像に対応する画像データを他の情報処理装置との間で
送受信する画像データ送受信部と、前記割り当てられた表示領域に表示すべき画像に対応
する画像データの少なくとも一部を他の情報処理装置に要求するための画像データ送信要
求を自身より負荷の小さい情報処理装置に送信する機能と、他の情報処理装置から前記画
像データ送信要求が送信されてきた場合には、当該画像データ送信要求に基づく画像デー
タを前記画像データ送信要求の送信元の情報処理装置に送信する指示を前記画像データ送
受信部に与える機能とを有する画像データ送信要求制御部とを有することを特徴とする。
【００２２】
このような情報処理装置を画像表示システムに用いることにより、前記本発明の画像表
示システムを実現することができる。なお、本発明の情報処理装置においても、前記本発
明の画像表示システムが有するそれぞれの特徴を有することが好ましい。
【発明を実施するための最良の形態】
【００２３】
以下、本発明の実施形態について説明する。なお、以下に示す実施形態では、複数台の
プロジェクタを用いて大画面画像の表示を行う画像表示システムについて説明する。
【００２４】
図１は本発明の各実施形態に係る画像表示システムの構成を示す図である。本発明の各
実施形態に係る画像表示システムは、図１に示すように、複数台（横方向２台、縦方向２
台の合計４台とする）のプロジェクタＰＪ１〜ＰＪ４と、４台のプロジェクタＰＪ１〜Ｐ
Ｊ４の各プロジェクタに接続された情報処理装置１００〜４００（クライアントＰＣ１０
０〜４００という）と、これらクライアントＰＣ１００〜４００を制御する制御用情報処
理装置１０（コントロールＰＣ１０という）と、これらコントロールＰＣ１０とクライア
ントＰＣ１００〜４００とを接続するＬＡＮなどのネットワーク２０とを有している。
【００２５】
そして、４台のプロジェクタＰＪ１〜ＰＪ４のうち、プロジェクタＰＪ１は画像表示面
としてのスクリーンＳＣＲにおける左上の表示領域Ａに画像を表示し、プロジェクタＰＪ
２はスクリーンＳＣＲにおける右上の表示領域Ｂに画像を表示し、プロジェクタＰＪ３は
スクリーンＳＣＲにおける左下の表示領域Ｃに画像を表示し、プロジェクタＰＪ４はスク
リーンＳＣＲにおける右下の表示領域Ｄに画像を表示するように設置されているものとす
る。
【００２６】
なお、本発明の各実施形態では、ある１つのコンテンツを構成する部分画像を各表示領
域Ａ〜Ｄに表示させることによって、当該コンテンツを大画面画像として表示させるよう
な表示形態ではなく、様々な種類の画像（コンテンツ）を各色表示領域Ａ〜Ｄに表示させ
るような表示形態で表示を行うものとして説明する。
【００２７】
図２はコントロールＰＣ１０及びクライアントＰＣ１００〜４００の構成を示す図であ
る。なお、図２においては、クライアントＰＣ１００〜４００については、クライアント
ＰＣ１００を例にとってその構成を示すが、他のクライアントＰＣ２００〜４００も同様
の構成要素を有している。
【００２８】
コントロールＰＣ１０は、クライアントＰＣ１００〜４００との間で通信を可能とする
通信部１１と、表示領域Ａ〜Ｄに表示すべき画像（コンテンツという）に対応する画像デ
ータを各クライアントＰＣ１００〜４００に対して通信部１１を用いて送信する画像デー
タ送信部１２と、各クライアントＰＣ１００〜４００に対して画像表示命令（コンテンツ
表示命令という）を通信部１１を用いて送信するコンテンツ表示命令送信部１３と、各ク
ライアントＰＣ１００〜４００の同期をとるなど各クライアントＰＣ１００〜４００を制
御する制御部１４とを有している。なお、コンテンツ表示命令は各クライアントＰＣ１０
０〜４００に対して同時に送信される。
【００２９】
クライアントＰＣ１００は、コントロールＰＣ１０及び他のクライアントＰＣ２００〜
４００との間で通信を行う通信部１０１と、コントロールＰＣ１０の画像データ送信部１
２から送信されてくる表示領域Ａ〜Ｄに表示すべきコンテンツに対応する画像データを通
信部１０１を介して受信する画像データ受信部１０２と、受信した画像データを記憶する
ハードディスクなどの記憶装置１０３と、コントロールＰＣ１０のコンテンツ表示命令送
信部１３から送信されてくるコンテンツ表示命令を通信部１０１を介して受信するコンテ
ンツ表示命令受信部１０４と、受信したコンテンツ表示命令を解析するコンテンツ表示命
令解析部１０５とを有する。
【００３０】
また、クライアントＰＣ１００は、他のクライアントＰＣ２００〜４００との間で通信
部１０１を介して負荷状況（後述する）の送受信を行う負荷状況送受信部１０６と、表示
すべきコンテンツに対応する画像データに基づいて表示処理を行う際の自身の負荷状況を
判定する機能と、判定された自身の負荷状況に対する自身の処理能力を判定する機能と、
負荷状況送受信部１０６で受信した他のクライアントＰＣ２００〜４００の負荷状況と自
身の負荷状況とから自身を含めた各クライアントＰＣのその時点の負荷状況を比較し、自
身よりも負荷の小さい情報処理装置があるか否かを判定する機能とを有する負荷状況判定
部１０７とをさらに有する。
【００３１】
また、クライアントＰＣ１００は、自身が処理すべき画像データの少なくとも一部の画
像データを他の情報処理装置に要求するための画像データ送信要求を通信部１０１を介し
て送信する機能及び他の情報処理装置から通信部１０１を介して送信されてきた画像デー
タ送信要求を受信する機能を有する画像データ送信要求制御部１０８と、他のクライアン
トＰＣ２００〜４００との間で通信部１０１を介して表示すべき画像データの送受信を行
う画像データ送受信部１０９とをさらに有している。
【００３２】
また、クライアントＰＣ１００は、記憶装置１０３に記憶されている画像データ及び／
又は画像データ送受信部１０９で受信された他のクライアントＰＣ２００〜４００からの
画像データを表示すべき画像データとして取得する画像データ取得部１１０と、画像デー
タ取得部１１０で取得された画像データに対してスケーリング処理やデコード処理などの
各種の処理を施して自身が表示すべき画像データを生成する画像データ生成部１１１と、
画像データ生成部１１１で生成された画像データに基づいて表示を行うための制御を行う
画像表示制御部１１２とをさらに有している。
【００３３】
なお、負荷状況判定部１０７が判定する「各クライアントＰＣのその時点の負荷状況」
というのは、個々のクライアントＰＣが自身の記憶装置１０３に対して画像データの読み
出しを行う際の記憶装置へのアクセス量など、表示すべき画像に対応する画像データ処理
に必要な負荷の大きさを示している。
【００３４】
また、画像データ送信要求制御部１０８は、負荷状況判定部１０７により自身の負荷状
況に対する自身の処理能力が不足していると判定された場合には、画像データ送信要求を
自身よりも負荷の小さい情報処理装置に送信する機能と、他の情報処理装置から画像デー
タ送信要求が送信されてきた場合には、当該画像データ送信要求の内容に基づく画像デー
タを画像データ送信要求の送信元の情報処理装置に送信する指示を画像データ送受信部１
０９に与える機能とをさらに有している。
【００３５】
また、本発明の各実施形態に係る画像表示システムは、プロジェクタ（プロジェクタＰ
Ｊ１〜ＰＪ４）によってスクリーンＳＣＲ上に画像を表示させるものであるため、画像表
示制御部１１２は、自身に接続されたプロジェクタ（クライアントＰＣ１００においては
プロジェクタＰＪ１）に対して画像データ生成部１１１で生成された画像データを送信す
る機能を有する。なお、クライアントＰＣ１００に接続されたプロジェクタＰＪ１は、ス
クリーンＳＣＲにおける表示領域Ａに画像の投射を行うように設定されている。なお、各
クライアントＰＣ１００〜４００に接続されるプロジェクタＰＪ１〜ＰＪ４は、それぞれ
対応する表示領域において２Ｋ１Ｋの解像度での表示を行うものとする。
【００３６】
このような構成において、各クライアントＰＣ１００〜４００は、コントロールＰＣ１
０から送信されてくる画像データを取得し、自身の記憶装置１０３に記憶させておく、こ
のとき、各クライアントＰＣ１００〜４００の各記憶装置１０３には、スクリーンＳＣＲ
全体（表示領域Ａ〜Ｄ）に表示すべき複数種類の画像（複数のコンテンツ）に対応する画
像データが記憶される。
【００３７】
そして、各クライアントＰＣ１００〜４００では、コントロールＰＣ１０からのコンテ
ンツ表示命令に基づいて、自身の記憶装置１０３から自身が表示すべきコンテンツに対応
する画像データを画像データ取得部１１０で取得して、スクリーンＳＣＲの自身に割り当
てられた表示領域に自身が表示すべきコンテンツを表示させるように表示処理を行う。
【００３８】
各クライアントＰＣ１００〜４００は、このような表示処理を行う際に、自身の負荷状
況を判定するとともに自身の負荷状況に対する自身の処理能力が十分であるか否かを判定
する。さらに、負荷状況送受信部１０６で受信した他のクライアントＰＣの負荷状況と自
身の負荷状況とから自身を含めた各クライアントＰＣのその時点の負荷状況を判定し、自
身よりも負荷の小さい情報処理装置があるか否かを判定する。なお、各クライアントＰＣ
１００〜４００が行う自身の負荷状況の判定は、コントロールＰＣ１０からのコンテンツ
表示命令が送信されるごとに行うことが好ましい。
【００３９】
そして、自身の負荷状況を判定するとともに自身の負荷状況に対する自身の処理能力が
十分であるか否かを判定した結果、自身の負荷状況に対する自身の処理能力が十分ではな
いと判定した場合には、自身が表示処理すべき画像データまたは画像データの一部を送信
してもらうための画像データ送信要求を自身よりも負荷の小さいクライアントＰＣに送信
する。また、逆に、自身の負荷が小さく、負荷の大きいクライアントＰＣから画像データ
送信要求が送信されてきた場合には、送信されてきた画像データ送信要求に基づく画像デ
ータを自身の記憶装置１０３から取得して、取得した画像データを当該画像データ送信要
求の送信元のクライアントＰＣに送信する。
【００４０】
なお、各クライアントＰＣ１００〜４００の具体的な動作については以下の各実施形態
において説明する。また、以下に示す各実施形態においては、各クライアントＰＣが自身
の記憶装置１０３にアクセスする際のアクセス速度よりも、ネットワーク２０の伝送速度
が十分に高速であると仮定する。これは、現在の標準的なＬＡＮの規格が１Ｇｂｐｓであ
り、高速なものでは、１０Ｇｂｐｓ程度であることと、一般的なＰＣにおけるハードディ
スクへのアクセス速度が４００Ｍｂｐｓ前後であることから妥当な仮定であるといえる。
以下に具体的な実施形態について説明する
【００４１】
[実施形態１]
図３は実施形態１に係る画像表示システムについて説明する図である。図３においては
、表示領域ＡにはプロジェクタＰＪ１によってコンテンツＧ１が表示され、表示領域Ｃ，
ＤにはプロジェクタＰＪ１，ＰＪ２によってコンテンツＧ２が表示領域ＣとＤの境界部分
に表示された状態となっている。また、表示領域Ｂは何も表示されていない状態となって
いる。
【００４２】
図３に示すような表示内容においては、クライアントＰＣ１００は、コントロールＰＣ
１０からのコンテンツ表示命令に基づいて、自身が表示処理すべきコンテンツＧ１に対応
する画像データを記憶装置１０３から取得して、プロジェクタＰＪ１によってスクリーン
ＳＣＲ上の表示領域ＡにコンテンツＧ１を表示させるための表示処理を行っている。
【００４３】
また、クライアントＰＣ３００，ＰＣ４００は、コントロールＰＣ１０からのコンテン
ツ表示命令に基づいて、コンテンツＧ２に対応する画像データをそれぞれの記憶装置１０
３から取得して、プロジェクタＰＪ３，ＰＪ４によってスクリーンＳＣＲ上の表示領域Ｃ
，Ｄの境界部分にそれぞれの表示領域Ｃ，ＤにコンテンツＧ２を表示せるような表示処理
を行っている。
【００４４】
このとき、クライアントＰＣ３００は、自身の記憶装置１０３から取得したコンテンツ
Ｇ２に対応する画像データから自身が表示すべき部分画像（コンテンツＧ２の左半分の画
像）に対応する画像データを生成する処理を行う。また、クライアントＰＣ４００は、自
身の記憶装置１０３から取得したコンテンツＧ２に対応する画像データから自身が表示す
べき部分画像（コンテンツＧ２の右半分の画像）に対応する画像データを生成する処理を
行う。
また、表示領域Ｂは何も表示されていないので、クライアントＰＣ２００は表示処理を
行っていない。
【００４５】
このように、コンテンツ表示命令が各クライアントＰＣ１００〜４００に送信されると
、各クライアントＰＣ１００〜４００は送信されてきたコンテンツ表示命令に基づいた表
示処理を行う。また、各クライアントＰＣ１００〜４００は、コンテンツ表示命令が送信
されるごとに自身の負荷状況を判定し、その判定結果から必要に応じて他のクライアント
ＰＣとの間で相互に負荷状況を送信し合う動作（負荷状況送受信動作という）を行う。
【００４６】
例えば、図１に示したように、各クライアントＰＣ１００〜４００が表示動作を行って
いない状態から、各クライアントＰＣ１００〜４００に対してコンテンツ表示命令が送信
され、それによって図３に示すような表示がなされたとする。このように、コントロール
ＰＣ１０から各クライアントＰＣ１００〜４００に新たなコンテンツ表示命令が送信され
ると、各クライアントＰＣ１００〜４００は、自身の負荷状況を判定し、その判定結果か
ら必要に応じて他のクライアントＰＣとの間で負荷状況送受信動作を行う。
【００４７】
図４は各クライアントＰＣ１００〜４００が行う処理の手順を説明するフローチャート
である。図４に示すように、まずは、コントロールＰＣ１０から各クライアントＰＣ１０
０〜４００に対してコンテンツ表示命令が送信されると、各クライアントＰＣ１００〜４
００はそのコンテンツ表示命令をコンテンツ表示命令受信部１０４で受信する（ステップ
Ｓ１）。コンテンツ表示命令は、表示すべきコンテンツが変化するごとにコントロールＰ
Ｃ１０から各クライアントＰＣ１００〜４００に同時に送信される。各クライアントＰＣ
１００〜４００は、受信したコンテンツ表示命令を自身のコンテンツ表示命令解析部１０
５で解析し、自身が処理するに必要なコンテンツ表示命令を保持する。コンテンツ表示命
令には、どのようなコンテンツを表示するかといった情報が含まれる。
【００４８】
このようにして、各クライアントＰＣ１００〜４００がコンテンツ表示命令を受信する
と、自身の記憶装置１０３へのアクセス量など画像データ処理を行う際の負荷状況を検出
して（ステップＳ２）、検出した負荷状況に対する自身の処理能力が十分であるか否かを
判定する（ステップＳ３）。そして、負荷状況に対する自身の処理能力が十分であれば、
他のクライアントＰＣへの画像データ送信要求は不要であるので、画像データ送信要求を
行わず処理を終了する。一方、負荷状況に対する自身の処理能力が十分でなければ、他の
クライアントＰＣとの間で負荷状況送受信動作を行う（ステップＳ４）。
【００４９】
ここで、負荷に対する処理能力が十分でないと判定され、他のクライアントＰＣとの間
で負荷状況送受信動作を行ったとする。その結果、他のクライアントＰＣから負荷状況が
送信されてくると、送信されてきた負荷状況と自身の負荷状況とを比較し、自身よりも負
荷の小さいクライアントＰＣがあるかを判定する（ステップＳ５）。その判定の結果、自
身よりも負荷の小さいクライアントＰＣが存在しなければ、画像データ送信要求を行うこ
とができないので処理を終了するが、自身よりも負荷の小さいクライアントＰＣが存在す
れば、自身よりも負荷の小さいクライアントＰＣに対して画像データ送信要求を出す（ス
テップＳ６）。ステップＳ６における画像データ送信要求には、自身のクライアントＰＣ
の識別番号と送信要求情報（どのファイルの何バイト目から何バイト目までを送信して欲
しいかを示す情報など）が記載されている。
【００５０】
そして、画像データ送信要求を送信した送信元のクライアントＰＣ（被支援クライアン
トＰＣ）は、画像データ送信要求を受けたクライアントＰＣ（支援クライアントＰＣ）か
らネットワーク２０を介して送信されてくる画像データを受信する（ステップＳ７）。被
支援クライアントＰＣは、支援クライアントＰＣから送信されてくる画像データを受信す
ると、受信した画像データと、自身が表示処理を行っている画像データとを組み合わせて
表示処理を行う。
【００５１】
なお、ステップＳ４〜Ｓ６における処理は、具体的には次のような内容で行われる。ま
ず、ステップＳ４における負荷状況送受信動作は、例えば、クライアントＰＣ１００を基
準にして考えると、クライアントＰＣ１００から他のクライアントＰＣ２００〜４００に
対して、「ＰＣ１００：Ｓｔｏｒａｇｅ使用率＝８０％」というような自身の負荷状況を
示す情報を送信メッセージとして送信する。このときの、宛先は「ブロードキャスト」で
ある。
【００５２】
クライアントＰＣ１００からの送信メッセージを受け取った各クライアントＰＣ２００
〜４００は、自身の負荷状況として、例えば、クライアントＰＣ２００は、「ＰＣ２００
：Ｓｔｏｒａｇｅ使用率＝０％」、クライアントＰＣ３００は、「ＰＣ３００：Ｓｔｏｒ
ａｇｅ使用率＝４０％」、クライアントＰＣ４００は、「ＰＣ４００：Ｓｔｏｒａｇｅ使
用率＝４０％」、クライアントＰＣ４００は、「ＰＣ４００：Ｓｔｏｒａｇｅ使用率＝４
０％」といった負荷状況を示す情報を、宛先を「ブロードキャスト」として送信する。
【００５３】
これにより、各クライアントＰＣは、他のクライアントＰＣから送信されてきた他のク
ライアントＰＣに負荷状況を受信することができる。ここで、クライアントＰＣ１００は
、自身の負荷状況と送信されてきたクライアントＰＣ２００〜４００の負荷状況とに基づ
いて、自身よりも負荷の小さいクライアントＰＣはあるか否かを判定する（ステップＳ５
）。この場合、クライアントＰＣ２００の負荷が最も小さいので、クライアントＰＣ１０
０は、宛先を「クライアントＰＣ２００」として画像データ送信要求を送信する（ステッ
プＳ６）。この画像データ送信要求には、自身（クライアントＰＣ１００）の識別番号と
送信要求情報（どのファイルの何バイト目から何バイト目までを送信して欲しいかを示す
情報など）とが含まれる。
【００５４】
なお、各クライアントＰＣ１００〜４００がコントロールＰＣ１０から送られてくるコ
ンテンツ表示命令をそのまま保持していれば、どのクライアントＰＣがどのようなコンテ
ンツを表示するかという情報を知ることができるので、各クライアントＰＣは、現在、負
荷の大きいクライアントＰＣがどれであるかを判断し、自身の負荷が小さければ、負荷の
大きいクライアントＰＣに対し、必要とする画像データを自発的に送信するといったこと
も可能となる。
【００５５】
図５は実施形態１に係る画像表示システムにおける第１の支援動作を説明する図である
。図５は図３と同じ表示内容であり、この場合は、負荷の最も大きなクライアントＰＣは
クライアントＰＣ１００であり、負荷の最も小さいクライアントＰＣはクライアントＰＣ
２００である。したがって、この場合、クライアントＰＣ１００が被支援クライアントＰ
Ｃであり、クライアントＰＣ２００が支援クライアントＰＣである。
【００５６】
図５に示すように、支援クライアントＰＣであるクライアントＰＣ２００は、被支援ク
ライアントＰＣであるクライアントＰＣ１００と同一の画像データ（コンテンツＧ１に対
応する画像データ）の一部を、画像データ取得部１１０が自身の記憶装置１０３から取得
し、取得した画像データを画像データ送受信部１０９により通信部１０１によりネットワ
ーク２０を介して太線矢印Ｒの経路でクライアントＰＣ１００に送信する。
【００５７】
なお、クライアントＰＣ２００がクライアントＰＣ１００に送信する画像データの取得
は、クライアントＰＣ１００から送信されてくる画像データ送信要求に記述されている送
信要求情報（どのファイルの何バイト目から何バイト目までの画像データといった情報な
ど）に基づいて行う。
【００５８】
このような支援動作を行うことにより、負荷が最も大きいクライアントＰＣ１００は、
コンテンツＧ１に対応する画像データの一部を他のクライアントＰＣ（クライアントＰＣ
２００）から受け取ることができるので、自身の記憶装置１０３から読み出すためのアク
セス量を少なくすることができ、クライアントＰＣ１００の負荷は軽減される。
【００５９】
なお、図５に示すような支援動作を行う際には、被支援クライアントＰＣであるクライ
アントＰＣ１００から見ると、クライアントＰＣ１００とクライアントＰＣ２００の各記
憶装置は、ネットワーク２０を介して仮想的にＲＡＩＤ０と同様の機能を有するようにソ
フトウエアで制御することが好ましい。それにより、画像データの形式に依存せず、複数
の記憶装置が協調して画像データの取得動作を行うことができる。
【００６０】
そして、図５に示すような表示内容から、図６に示すような表示内容とするようにコン
トロールＰＣ１０から各クライアントＰＣ１００〜４００に対してコンテンツ表示命令が
送信されたとする。
【００６１】
図６は実施形態１に係る画像表示システムにおける第２の支援動作を説明する図である
。図６に示す表示内容は、プロジェクタＰＪ１がコンテンツＧ１の表示をそのまま継続し
て行い、プロジェクタＰＪ４がコンテンツＧ２の表示を行い、プロジェクタＰＪ２，ＰＪ
３は何も表示を行わないといった表示内容である。
【００６２】
各クライアントＰＣ１００〜４００は図４で説明した処理手順によって表示処理を行う
。そして、各クライアントＰＣ１００〜４００は、自身の負荷状況に対する自身の処理能
力が十分でなければ、他のクライアントＰＣとの間で負荷状況送受信動作を行う。この場
合もクライアントＰＣ１００を基準に考える。
【００６３】
クライアントＰＣ１００では、自身の負荷状況と他のクライアントＰＣ２００〜４００
から送信されてくる負荷状況とに基づいて各クライアントＰＣ１００〜４００の負荷状況
を検証した結果、クライアントＰＣ２００とＰＣ３００の負荷が小さいと判定されるので
、この場合は、クライアントＰＣ２００に加えてクライアントＰＣ３に対しても画像デー
タ送信要求を送信する。これにより、クライアントＰＣ３もクライアントＰＣ１００に対
して支援動作を行う。
【００６４】
すなわち、クライアントＰＣ３００は、既に支援動作を行っているクライアントＰＣ２
００と同様、被支援クライアントＰＣであるクライアントＰＣ１００と同一の画像データ
の一部を自身の記憶装置１０３から取得し、取得した画像データをネットワーク２０を介
して太線矢印Ｒの経路でクライアントＰＣ１００に送信する。なお、新たに支援参加する
クライアントＰＣ３００がクライアントＰＣ１００に送信する画像データの取得は、クラ
イアントＰＣ１００から送信されてくる画像データ送信要求に記述されている送信要求情
報（どのファイルの何バイト目から何バイト目までの画像データといった情報など）に基
づいて行うことができる。
【００６５】
図６に示すような支援動作を行う際にも、被支援クライアントＰＣであるクライアント
ＰＣ１００から見ると、クライアントＰＣ１００とクライアントＰＣ２００及びＰＣ３０
０の各記憶装置は、ネットワーク２０を介して仮想的にＲＡＩＤ０と同様の機能を有する
ようにソフトウエアで制御することが好ましい。それにより、画像データの形式に依存せ
ず、複数の記憶装置が協調して画像データの取得動作を行うことができる。
【００６６】
このような支援動作を行うことにより、負荷が最も大きいクライアントＰＣ１００は、
コンテンツＧ１に対応する画像データを自身の記憶装置１０３から読み出すためのアクセ
ス量をさらに少なくすることができ、クライアントＰＣ１００の負荷はより軽減される。
【００６７】
[実施形態２]
図７は実施形態２に係る画像表示システムにおける支援動作を説明する図である。図７
は表示領域Ａに画像が集中した表示内容となっている。したがって、この場合は、クライ
アントＰＣ１００が他のクライアントＰＣ２００〜４００に比べて、より多くの画像デー
タを必要とし、負荷が最も大きい状態となっている。
【００６８】
図７に示す例においては、クライアントＰＣ１００は、コンテンツＧ１に対応する画像
データのすべてとコンテンツＧ２及びコンテンツＧ３のそれぞれの画像データの一部を必
要とする。このとき、クライアントＰＣ２００はクライアントＰＣ１００と共通のコンテ
ンツＧ３を表示領域Ａ，Ｂの境界部分で表示させるための表示処理を行っており、クライ
アントＰＣ３００はクライアントＰＣ１００と共通のコンテンツＧ２を表示領域Ａ，Ｃの
境界部分で表示させるための表示処理を行っている。
【００６９】
この場合、クライアントＰＣ２００はコンテンツＧ３を表示するために自身の記憶装置
１０３からコンテンツＧ３に対応する画像データを取得する動作を行っており、また、ク
ライアントＰＣ３００はコンテンツＧ２を表示するために自身の記憶装置１０３からコン
テンツＧ２に対応する画像データを取得する動作を行っている。したがって、これらクラ
イアントＰＣ２００，ＰＣ３００は、自身が表示処理を行うために自身の記憶装置１０３
から取得したコンテンツＧ２，Ｇ３に対応する各画像データを、負荷が集中しているクラ
イアントＰＣ１００に送信することができる。
【００７０】
このように、負荷の集中しているクライアントＰＣ（図７の例ではクライアントＰＣ１
００）と共通のコンテンツの表示を行っている負荷の小さいクライアントＰＣ（図７の例
ではクライアントＰＣ２００，３００）が存在する場合には、負荷の小さいクライアント
ＰＣ２００，３００は、自身が表示処理を行うために自身の記憶装置１０３から取得した
それぞれの画像データ（コンテンツＧ３及びコンテンツＧ２に対応する画像データ）を、
ネットワーク２０を介して太線矢印Ｒの経路で被支援クライアントＰＣであるクライアン
トＰＣ１００に送信する。これにより、負荷の集中しているクライアントＰＣ１００は、
自身が表示処理を行うためのコンテンツを、画像データ送信要求の送信先のクライアント
ＰＣ（共通のコンテンツの表示を行っている負荷の小さいクライアントＰＣ２００，３０
０）から受信することができる。
【００７１】
このような支援動作を行うことにより、クライアントＰＣ１００では、コンテンツＧ２
，Ｇ３に対応する画像データの読み出し処理を行う必要がなくなり、自身の記憶装置１０
３へのアクセス負荷を大幅に軽減できる。
【００７２】
また、図７においては、プロジェクタＰＪ４は何も表示していないので、クライアント
ＰＣ４００の負荷も小さい。したがって、クライアントＰＣ４００は、クライアントＰＣ
１００が表示処理している画像データ（コンテンツＧ１に対応する画像データ）の一部を
自身の記憶装置１０３から取得し、取得した画像データをネットワーク２０を介して太線
矢印Ｒの経路でクライアントＰＣ１００に送信する。なお、このような動作を行う際には
、クライアントＰＣ１００とクライアントＰＣ４００の各記憶装置１０３は、ネットワー
ク２０を介して仮想的にＲＡＩＤ０と同様の機能を有するようにソフトウエアで制御する
ことが望ましい。
ところで、各クライアントＰＣ１００〜４００において、現在、共通のコンテンツを表
示しているクライアントＰＣが自身以外に存在する否かは、例えば、コントロールＰＣ１
０が各クライアントＰＣ１００〜４００に送信する「コンテンツ表示命令」から、各クラ
イアントＰＣ１００〜４００がそれぞれ判断することが可能であるが、それ以外にも、例
えば、コントロールＰＣ１０が各クライアントＰＣ１００〜４００に共通のコンテンツが
あることを示すデータを、コンテンツ表示命令と併せて各クライアントＰＣ１００〜４０
０に送信し、各クライアントＰＣ１００〜４００ではコントロールＰＣ１０から送信され
てくるデータ（共通のコンテンツがあることを示すデータ）から判断することも可能であ
り、また、クライアントＰＣ１００〜４００が相互に自身のコンテンツ情報を送受信する
ことによって判断することも可能である。
【００７３】
[実施形態３]
図８は実施形態３に係る画像表示システムにおける支援動作を説明する図である。図８
においては、表示領域ＡにはコンテンツＧ１が表示され、表示領域Ａ〜Ｄにはこれら各表
示領域Ａ〜ＤすべてにまたがってコンテンツＧ２が表示されている。このような表示を行
うには、クライアントＰＣ２００〜４００は、自身が表示すべきコンテンツＧ２に対応す
る画像データのみを取得するだけでよいが、クライアントＰＣ１００は、コンテンツＧ１
に対応する画像データと、コンテンツＧ２に対応する画像データを取得する必要がある。
このため、クライアントＰＣ１００は他のクライアントＰＣに比べて、より多くの画像デ
ータを取得する必要があり、自身の記憶装置１０３へのアクセス量が多くなる。
【００７４】
実施形態３に係る画像表示システムにおいては、負荷の大きなクライアントＰＣに対し
て、記憶装置１０３へのアクセス負荷の軽減の他にデコードなどの画像データ処理に要す
る負荷の軽減をも実現可能とする。すなわち、各クライアントＰＣ１００〜４００におい
て、各種の画像データ処理を行う画像データ処理部（図２においては画像データ生成部１
１１など）は、デコードなど各種の画像データ処理を行う必要があり、これらの画像デー
タ処理の負荷の大きさも、その時点における表示内容によって各クライアントＰＣ間でバ
ラツキがある。
【００７５】
したがって、デコード処理を実行した画像データを負荷の大きなクライアントＰＣに送
信することによって、負荷の大きなクライアントＰＣにおいては記憶装置１０３へのアク
セス負荷の軽減だけでなく、画像データ生成部１１１が行う画像データ処理の負荷をも軽
減することができる。なお、このような支援動作は、ネットワークの伝送速度に比べてデ
コード処理の速度が遅い画像表示システムにおいて有効である。
【００７６】
図８に示す例においては、クライアントＰＣ１００の負荷が大きいため、他のクライア
ントＰＣ２００〜４００のうちのいずれかのクライアントＰＣ（例えば、クライアントＰ
Ｃ２００とする）は、自身が表示すべきコンテンツＧ２に対応する画像データのデコード
処理結果を送信する。クライアントＰＣ２００においてデコード処理された画像データ（
コンテンツＧ２に対応する画像データ）は、太線矢印Ｒの経路でクライアントＰＣ１００
に送信される。これにより、負荷の集中しているクライアントＰＣ１００は、負荷の小さ
いクライアントＰＣ（この場合、クライアントＰＣ２００）からデコード処理された画像
データを受信することができる。
【００７７】
このように、負荷の集中しているクライアントＰＣ１００は、負荷の小さいクライアン
トＰＣ２００からデコード処理された画像データを受信することにより、クライアントＰ
Ｃ１００では、自身の記憶装置１０３へのアクセス負荷の軽減だけでなく、画像データ生
成部１１１の画像データ処理（この場合、デコード処理）の負荷をも軽減できる。なお、
支援クライアントＰＣであるクライアントＰＣ２００から被支援クライアントＰＣである
クライアントＰＣ１００に送信する画像データはデコード処理だけでなく、その他の画像
データ処理を施した結果を送信するようにしてもよい。これにより、被支援クライアント
ＰＣが行うべき画像データ処理の負荷をより軽減することができる。
【００７８】
なお、本発明は上述の実施形態に限られるものではなく、本発明の要旨を逸脱しない範
囲で種々変形実施可能となるものである。例えば、前述の各実施形態においては、複数台
のプロジェクタを用いた画像表示システムについて説明したが、プロジェクタによって画
像表示を行う表示システムではなく、直視型の高解像度（例えば４Ｋ２Ｋあるいは８Ｋ４
Ｋなど）のディスプレイを有する画像表示システムにも適用することができる。
【００７９】
このような表示システムにおいては、ディスプレイの表示画面を例えば複数分割（例え
ば４分割）し、分割された各表示領域に対応してクライアントＰＣ１００〜４００を設け
、これら各クライアントＰＣ１００〜４００により、前述した各実施形態と同様の表示処
理を行うことにより、各表示領域ごとに様々なコンテンツを表示させることが可能となる
。このような表示システムにおいても本発明を適用することができる。
【図面の簡単な説明】
【００８０】
【図１】本発明の各実施形態に係る画像表示システムの構成を示す図。
【図２】コントロールＰＣ及びクライアントＰＣの構成を示す図。
【図３】図３は実施形態１に係る画像表示システムについて説明する図。
【図４】各クライアントＰＣ１００〜４００が行う処理の手順を説明するフローチャート。
【図５】実施形態１に係る画像表示システムにおける第１の支援動作を説明する図。
【図６】実施形態１に係る画像表示システムにおける第２の支援動作を説明する図。
【図７】実施形態２に係る画像表示システムにおける支援動作を説明する図。
【図８】実施形態３に係る画像表示システムにおける支援動作を説明する図。
【符号の説明】
【００８１】
１０・・・コントロールＰＣ、２０・・・ネットワーク、１００〜４００・・・クライ
アントＰＣ、１０２・・・画像データ受信部、１０３・・・記憶装置、１０４・・・コン
テンツ表示命令受信部、１０５・・・コンテンツ表示命令解析部、１０６・・・負荷状況
送受信部、１０７．・・・負荷状況判定部、１０８・・・画像データ送信要求制御部、１
０９・・・画像データ取得部、１１１・・・画像データ生成部、Ａ，Ｂ，Ｃ，Ｄ・・・表
示領域、Ｇ１，Ｇ２，Ｇ３・・・コンテンツ、ＰＪ１〜ＰＪ４・・・プロジェクタ、ＳＣ
Ｒ・・・スクリーン
【図４】
2009223106.tif 000003
【図１】
2009223106.tif 000004
【図２】
2009223106.tif 000005
【図３】
2009223106.tif 000006
【図５】
2009223106.tif 000007
【図６】
2009223106.tif 000008
【図７】
2009223106.tif 000009
【図８】
2009223106.tif 000010